(57)【要約】【課題】  ユーザがＧＵＩを操作して選局を行う際に、現在視聴中のチャンネルの映像と他チャンネルの映像を同時に表示するには複数のチューナを備える必要がある。【解決手段】  デジタル放送受信装置にデジタルインターフェースで外部機器を接続し、デジタル放送受信装置が受信して復調ならびに復号した第１のチャンネルの映像データと、外部機器で受信して復調ならびに復号し、デジタルインターフェースを介して入力した第２のチャンネルの映像データとをデジタル放送受信装置の表示部に同時に表示させる。【選択図】  図１
2008270962.tif 000002
【特許請求の範囲】
【請求項１】
映像データと音声データと機器制御データを送受信するデジタルインターフェースを介して、デジタル放送受信機能を有する外部機器を接続することが可能なデジタル放送受信装置を備え、
このデジタル放送受信装置が複数のチャンネルの中から選択された第１のチャンネルのテレビジョン放送信号を受信して復調ならびに復号した映像データを表示するステップと、
第２のチャンネルを選択するステップと、
前記外部機器で受信して復調ならびに復号した第２のチャンネルのテレビジョン放送信号の映像データを前記デジタルインターフェースから入力するステップと、
前記第２のチャンネルの映像データを前記第１のチャンネルの映像データとともに表示するステップと
を含むことを特徴とするデジタル放送受信方法。
【請求項２】
映像データと音声データと機器制御データを送受信するデジタルインターフェースを介して、デジタル放送受信機能を有する外部機器を接続することが可能なデジタル放送受信装置を備え、
このデジタル放送受信装置が複数のチャンネルの中から選択された第１のチャンネルのテレビジョン放送信号を受信して復調ならびに復号した映像データを表示するステップと、
第２のチャンネルを選択するステップと、
前記外部機器で受信して復調ならびに復号した第２のチャンネルのテレビジョン放送信号の映像データを前記デジタルインターフェースから入力するステップと、
前記第２のチャンネルの映像データを前記第１のチャンネルの映像データとともに表示するステップと、
前記外部機器で受信して復調ならびに復号した前記第２のチャンネルのテレビジョン放送信号の音声データを前記デジタルインターフェースから入力するステップと、
前記音声データを出力するステップと
を含むことを特徴とするデジタル放送受信方法。
【請求項３】
第２のチャンネルを選択する際に、チャンネルを選択するためのグラフィカルユーザインターフェースを表示させるステップと、
グラフィカルユーザインターフェースにおいて第２のチャンネルが選択されている時に、前記外部機器で前記第２のチャンネルのテレビジョン放送信号を受信して復調ならびに復号するステップと
を備えたことを特徴とする請求項１または請求項２に記載のデジタル放送受信方法。
【請求項４】
グラフィカルユーザインターフェースはチャンネルを選択するためのカーソルを含んで構成されることを特徴とする請求項３に記載のデジタル放送受信方法。
【請求項５】
グラフィカルユーザインターフェースは、電子番組ガイド、チャンネル一覧、ユーザ設定によるチャンネル一覧、裏番組一覧の画面、または、その他の選局可能なチャンネルを含む画面であることを特徴とする請求項３に記載のデジタル放送受信方法。
【請求項６】
グラフィカルユーザインターフェースは、カーソルで選択している第２のチャンネルについて、映像データのみを表示するか、または、映像データを表示するとともに音声データを出力するか、を選択することが可能な画面を含み、
映像データのみを表示することが選択された場合は、第１のチャンネルの音声データを出力し、映像データを表示するとともに音声データを出力することが選択された場合は、第２のチャンネルの音声データを出力するステップを備えたことを特徴とする請求項３に記載のデジタル放送受信方法。
【請求項７】
前記グラフィカルユーザインターフェースの終了時に、前記外部機器からの第２のチャンネルのテレビジョン放送信号の受信を停止するとともに前記外部機器を待機状態にするステップを備えたことを特徴とする請求項３に記載のデジタル放送受信方法。
【請求項８】
デジタル放送受信機能を有する外部機器を接続することが可能なデジタル放送受信装置において、
映像データと音声データと機器制御データを送受信するデジタルインターフェースと、
複数のチャンネルの中から選択された第１のチャンネルのテレビジョン放送信号を受信して復調するチューナ部と、
このチューナ部から出力される番組の映像圧縮データを復号する映像デコーダ部と、
この映像デコーダ部から出力される映像データと前記外部機器から前記デジタルインターフェースを介して入力される前記複数のチャンネルの中から選択された第２のチャンネルの映像データとを合成する映像出力制御部と、
この映像出力制御部から出力される映像データを表示する表示部と
を備えたことを特徴とするデジタル放送受信装置。
【請求項９】
デジタル放送受信機能を有する外部機器を接続することが可能なデジタル放送受信装置において、
映像データと音声データと機器制御データを送受信するデジタルインターフェースと、
複数のチャンネルの中から選択された第１のチャンネルのテレビジョン放送信号を受信して復調するチューナ部と、
このチューナ部から出力される番組の映像圧縮データを復号する映像デコーダ部と、
この映像デコーダ部から出力される映像データと前記外部機器から前記デジタルインターフェースを介して入力される前記複数のチャンネルの中から選択された第２のチャンネルの映像データとを合成する映像出力制御部と、
この映像出力制御部から出力される映像データを表示する表示部と、
前記チューナ部から出力される番組の音声圧縮データを復号する音声デコーダ部と、
この音声デコーダ部から出力される第１のチャンネルの音声データと前記デジタルインターフェースを介して入力される前記第２のチャンネルの音声データとの出力制御を行う音声出力制御部と、
前記音声出力制御部から出力される音声データを出力するスピーカ部と
を備えたことを特徴とするデジタル放送受信装置。
【請求項１０】
チャンネルを選択するためのグラフィカルユーザインターフェースを表示部に表示し、このグラフィカルユーザインターフェースにおいて第２のチャンネルが選択されている時に、
前記第２のチャンネルの選局情報を機器制御データとして前記デジタルインターフェースを介して外部機器へ送信し、
この選局情報に基づいて、前記外部機器で前記第２のチャンネルのテレビジョン放送信号を受信して復調ならびに復号することを特徴とする請求項８または９に記載のデジタル放送受信装置。
【請求項１１】
グラフィカルユーザインターフェースはチャンネルを選択するためのカーソルを含んで構成されることを特徴とする請求項１０に記載のデジタル放送受信装置。
【請求項１２】
グラフィカルユーザインターフェースは、電子番組ガイド、チャンネル一覧、ユーザ設定によるチャンネル一覧、裏番組一覧の画面、または、その他の選局可能なチャンネルを含む画面であることを特徴とする請求項１０に記載のデジタル放送受信装置。
【請求項１３】
グラフィカルユーザインターフェースは、カーソルで選択している第２のチャンネルについて、映像データのみを表示するか、または、映像データを表示するとともに音声データを出力するか、を選択することが可能な画面を含み、
映像データのみを表示することが選択された場合は、音声出力制御部が第１のチャンネルの音声データを出力し、映像データを表示するとともに音声データを出力することが選択された場合は、音声出力制御部が第２のチャンネルの音声データを出力することを特徴とする請求項１０に記載のデジタル放送受信装置。
【請求項１４】
グラフィカルユーザインターフェースの終了時に、外部機器からの第２のチャンネルのテレビジョン放送信号の受信を停止するとともに外部機器を待機状態にすること特徴とする請求項項１０に記載のデジタル放送受信装置。
【発明の詳細な説明】
【技術分野】
【０００１】
この発明は、デジタル放送受信機能を有する外部機器を接続することが可能なデジタル放送受信装置に関し、特に視聴中のチャンネルの番組と他チャンネルの番組とを同時に表示する方法および装置に関するものである。
【背景技術】
【０００２】
デジタル放送の多チャンネル化に伴い、リモコン等のチャンネル番号キーやアップ／ダウンキーによる選局方法ではユーザが所望するチャンネルへの切替えに時間を要するため、デジタル放送受信装置における選局方法の１つとして、ＧＵＩ（Graphical User Interface：グラフィカルユーザインターフェース）を使用して、多くのチャンネルを表示した画面から所望のチャンネルを選択してチャンネルを切替える選局方法が用いられている。
【０００３】
このような選局方法として、例えば、デジタル放送信号に重畳されている番組情報からＥＰＧ（Electronic Program Guide：電子番組ガイド）を作成し、これをデジタル放送受信装置の表示部に表示することにより、ユーザが所望のチャンネルを効率的に選択することができる選局方法がある。（例えば、特許文献１参照）。
【０００４】
しかしながら、この放送信号に重畳されている番組情報は、放送時刻、番組名、出演者名、番組内容紹介文などのテキスト情報であり、この選局方法では現在視聴中のチャンネルの映像を表示したまま現在放送中の他チャンネルの番組の内容を動画の映像で直感的にイメージすることができない。
【０００５】
その改善策として、１台のデジタル放送受信装置に複数のチューナを備えることによって、現在視聴中のチャンネルの映像と現在放送中の他チャンネルの映像をデジタル放送受信装置の表示部に同時に表示し、ユーザが他チャンネルの番組内容を動画の映像で把握できる方法が提案されている。（例えば、特許文献２参照）。
【０００６】
【特許文献１】特開平８−１１１８２３号公報
【特許文献２】特開２００６−１００９４９号公報
【発明の開示】
【発明が解決しようとする課題】
【０００７】
従来のデジタル放送受信装置では、搭載されているチューナが１つである場合は、現在視聴中のチャンネル以外の番組内容はテキスト情報でしか得られないという問題点がある。また、１台のデジタル放送受信装置に複数のチューナを備えることにより、現在視聴中のチャンネルの映像と他チャンネルの映像を同時に表示することができるが、チューナおよびその関連部品の数が増加するためデジタル放送受信装置が高価になるという問題点がある。
【０００８】
この発明は、上述のような問題を解決するためになされたもので、複数のチューナを備えることなく、現在視聴中のチャンネルの映像と他チャンネルの映像を同時に表示できるデジタル放送受信方法および装置を得ることを目的としている。
【課題を解決するための手段】
【０００９】
この発明に係るデジタル放送受信方法は、デジタルテレビ等のデジタル放送受信装置と、デジタル放送受信機能を有するチューナ内蔵ＤＶＤ／ＨＤＤレコーダ等の外部機器とをデジタルインターフェースで接続し、このデジタル放送受信装置で受信して復調ならびに復号した第１のチャンネルの映像データを表示するとともに、外部機器で受信して復調ならびに復号した第２のチャンネルの映像データをデジタル放送受信装置に入力することにより、第２のチャンネルの映像データを第１のチャンネルの映像データとともにデジタル放送受信装置の表示部で同時に表示するものである。
【００１０】
また、この発明に係るデジタル放送受信装置は、デジタル放送受信機能を有する外部機器をデジタルインターフェースで接続することが可能なデジタル放送受信装置であり、映像データと音声データと機器制御データを送受信するデジタルインターフェースと、複数のチャンネルの中から選択された第１のチャンネルのテレビジョン放送信号を受信して復調するチューナ部と、このチューナ部から出力される番組の映像圧縮データを復号する映像デコーダ部と、この映像デコーダ部から出力される映像データと外部機器からデジタルインターフェースを介して入力される複数のチャンネルの中から選択された第２のチャンネルの映像データとを合成する映像出力制御部と、この映像出力制御部から出力される映像データを表示する表示部とを備えたものである。
【発明の効果】
【００１１】
この発明は、チューナを１つだけ備えるデジタル放送受信装置によって、現在視聴中のチャンネルの映像と他チャンネルの映像を同時に表示することができる。そのため、ユーザが選局を行う際に他チャンネルの番組内容を動画の映像で把握でき、所望のチャンネルを効率的に選択することができる。
【発明を実施するための最良の形態】
【００１２】
実施の形態１．
図１は、この発明を実施するための実施の形態１におけるデジタル放送受信装置のブロック図を示すものである。図２は、デジタル放送受信装置とデジタルインターフェースで接続される外部機器のブロック図を示すものである。
【００１３】
図１に示すデジタル放送受信装置は、テレビジョン放送信号を受信するアンテナ部１に接続されたチューナ部２と、映像デコーダ部３と、デマルチプレクサ部４と、音声デコーダ部５と、映像データを表示する表示部６と、映像データの出力制御を行う映像出力制御部７と、制御部８と、音声データを出力するスピーカ部９と、映像データと音声データと機器制御データを送受信するデジタルインターフェース１０と、リモコン１２から送信されるキーコードを受信するキー操作受信部１１とを備える。
【００１４】
また、図２に示す外部機器は、テレビジョン放送信号を受信するアンテナ部２０に接続されたチューナ部２１と、映像デコーダ部２３と、デマルチプレクサ部２２と、音声デコーダ部２５と、制御部２４と、映像データと音声データと機器制御データを送受信するデジタルインターフェース２６と、ハードディスク２７と、ＤＶＤ２８とを備える。
【００１５】
図１において、チューナ部２は、アンテナ部１で受信されたテレビジョン放送信号を復調する。デマルチプレクサ部４は、チューナ部２で復調した圧縮データを第１のチャンネルの映像圧縮データと、第１のチャンネルの音声圧縮データと、番組名や番組内容等で構成される番組付加情報に分離する。映像デコーダ部３は、デマルチプレクサ部４で分離された映像圧縮データを映像データに復号し、この映像データを映像出力制御部７に出力する。音声デコーダ部５は、デマルチプレクサ部４で分離された音声圧縮データを音声データに復号し、この音声データをスピーカ部９に出力する。
【００１６】
デジタルインターフェース１０はＨＤＭＩ（High-Definition Multimedia Interface：デジタル映像・音声の入出力インターフェース規格）等の入出力ポートであり、外部機器に備わるＨＤＭＩポート等のデジタルインターフェース２６から出力される映像および音声データを入力する。また、外部機器のデジタルインターフェース２６との機器制御データの送受信を行う。
【００１７】
映像出力制御部７は、映像デコーダ部３から出力される映像データと、外部機器からデジタルインターフェース１０を介して入力される第２のチャンネルのテレビジョン放送信号の映像データを、制御部８からの指示に基づいて出力する。表示部６は、映像出力制御部７から出力される映像データを映像として表示する。スピーカ部９は、音声デコーダ部５から出力される音声データを音声として出力する。キー操作受信部１１は、例えばリモコン１２におけるユーザのキー操作によって送信されたキーコードを受信する。リモコン１２は、例えば、ＧＵＩの表示を開始するためのＧＵＩ表示キー、カーソル４０によるチャンネルの選択を変更するための上・下・左・右キー、決定キーを含んでいる。制御部８は、例えば、後述する動作を行うためのプログラムを備えたＣＰＵで構成され、チューナ部２で選択するチャンネルの指定、デマルチプレクサ部４で分離する映像圧縮データと音声圧縮データの制御、ＧＵＩの映像データの生成、映像出力制御部７で出力する映像データの指定、デジタルインターフェース１０におけるデータ送受信の制御、キー操作受信部１１で受信したキーコードに基づく処理などを実行する。
【００１８】
図２において、チューナ部２１は、アンテナ部２０で受信されたテレビジョン放送信号を復調する。デマルチプレクサ部２２は、チューナ部２１で復調した圧縮データを第２のチャンネルの映像圧縮データと、第２のチャンネルの音声圧縮データと、番組名や番組内容等で構成される番組付加情報に分離する。映像デコーダ部２３は、デマルチプレクサ部２２で分離された映像圧縮データを映像データに復号し、この映像データをデジタルインターフェース２６に出力する。音声デコーダ部２５は、デマルチプレクサ部２２で分離された音声圧縮データを音声データに復号し、この音声データをデジタルインターフェース２６に出力する。
【００１９】
制御部２４は、チューナ部２１で選択するチャンネルの指定、デマルチプレクサ部２２で分離する映像圧縮データと音声圧縮データの制御、デジタルインターフェース２６におけるデータ送受信の制御などを実行する。
【００２０】
以下、この発明を実施するための例として、デジタル放送受信装置がデジタルテレビ、デジタル放送受信機能を有する外部機器がチューナ内蔵ＤＶＤ／ＨＤＤレコーダ（以下、レコーダと称す）である場合について、図３を参照してユーザがＧＵＩを用いてチャンネル選択する時の動作を説明する。このＧＵＩは、電子番組ガイド、チャンネル一覧、ユーザ設定によるチャンネル一覧、裏番組一覧の画面、または、その他の選局可能なチャンネルを含む画面であればよいが、以下では、チャンネル一覧の画面を含む場合を例にして説明する。
【００２１】
ユーザがリモコン１２のＧＵＩ表示キーを押下すると（ＳＴＥＰ１）、デジタル放送受信装置のキー操作受信部１１がこれを表すキーコードを受信して制御部８に送信する。
【００２２】
制御部８は、受信したキーコードがＧＵＩ表示キーであると判断すると、外部機器であるレコーダの電源状態を確認するため、電源状態の通知要求コマンドを機器制御データとしてデジタルインターフェース１０を介してレコーダに送信する。電源状態の通知要求コマンドを受信したレコーダは、電源状態をデジタル放送受信装置に通知する（ＳＴＥＰ２）。
【００２３】
デジタル放送受信装置は、取得したレコーダの電源状態によって、次に行う処理を判断する（ＳＴＥＰ３）。
【００２４】
レコーダの電源状態が待機状態であった場合、デジタル放送受信装置は、電源オン要求コマンドを機器制御データとしてデジタルインターフェース１０を介してレコーダに送信する。電源オン要求コマンドを受信したレコーダは、電源状態を電源オンにする（ＳＴＥＰ４）。ＳＴＥＰ４の処理後はＳＴＥＰ２に戻り、再度レコーダの電源状態を確認する。ここで、レコーダの電源スイッチが切られている、あるいはレコーダがデジタル放送受信装置と接続されていないなど、デジタル放送受信装置とレコーダとのデータ送受信ができない場合は、ＧＵＩを終了する。
【００２５】
レコーダの電源状態が電源オンであった場合、デジタル放送受信装置の制御部８は、テレビジョン放送信号の中の番組付加情報に基づいてＧＵＩを生成し、ＧＵＩの映像データおよび画像の合成指示を映像出力制御部７に出力する（ＳＴＥＰ５）。
【００２６】
ＧＵＩは、例えば、図４（Ａ）に示すようなものであり、チャンネル一覧の画面と、チャンネルを選択するカーソル４０と、現在視聴中のチャンネルの映像データを表示するエリア４１と、カーソル４０で選択しているチャンネルの映像データを表示するエリア４２とから構成されている。
【００２７】
映像出力制御部７は、現在視聴中のチャンネルの映像データとＧＵＩの画像データとが前記の合成指示に従って所定のエリアに出力されるように各映像データを合成して出力し、合成された映像データが表示部６に表示される（ＳＴＥＰ６）。この時点では、図４（Ｂ）のように現在視聴中のチャンネルの映像データと、ＧＵＩの映像データを合成した映像データが表示部６に表示される。
【００２８】
制御部８は、カーソル４０で選択しているチャンネルを検出し、そのチャンネルの選局情報を取得する（ＳＴＥＰ７）。カーソル４０の画面上の位置は、ユーザがリモコン１２を操作して移動させることができる。なお、選局情報は、レコーダがテレビジョン放送信号を受信して復調するために必要なチューナ制御パラメーターと番組を特定するために必要な情報（サービスＩＤ）を含んでいる。
【００２９】
制御部８は、選局情報を付加した選局要求コマンドを機器制御データとしてデジタルインターフェース１０を介してレコーダに送信する（ＳＴＥＰ８）。
【００３０】
選局要求コマンドを受信したレコーダは、選局情報に基づいてテレビジョン放送信号を受信して復調し、映像圧縮データおよび音声圧縮データの復号処理を開始して（ＳＴＥＰ９）、復号した映像および音声データをデジタルインターフェース２６を介してデジタル放送受信装置に出力する（ＳＴＥＰ１０）。
【００３１】
レコーダから映像及び音声データがデジタルインターフェース１０を介してデジタル放送受信装置に入力されると、映像出力制御部７は、図４（Ｃ）のようにユーザが現在視聴中のチャンネルの映像データと、レコーダからデジタルインターフェース１０を介して入力される映像データと、ＧＵＩの映像データとを合成した映像データを出力し（ＳＴＥＰ１１）、表示部６に表示する。
【００３２】
ユーザがリモコン１２を操作してカーソル４０を移動させるたびに、ＳＴＥＰ７からＳＴＥＰ１１が実行される。
【００３３】
ＧＵＩは、表示部６の画面の全部に表示しても、表示部６の画面の一部に表示してもよい。また、ＧＵＩを表示部６の画面の一部に表示する場合は、ＧＵＩを表示していない他の部分で現在視聴中のチャンネルの映像データを表示してもよく、さらに、この場合は図５のように現在視聴中のチャンネルの映像データを表示するエリア４１が無くてもよい。カーソル以外の手段、例えばキー入力だけでチャンネルを選択する場合は、カーソル４０は必ずしも表示されなくてよい。
【００３４】
また、ＧＵＩの終了時に、制御部８は、レコーダからのテレビジョン放送信号の受信を停止してするとともに、待機状態要求コマンドを機器制御データとしてデジタルインターフェース１０を介してレコーダに送信し、レコーダを待機状態にする。
【００３５】
実施の形態１のデジタル放送受信装置は、第１のチャンネルのテレビジョン放送信号を受信するとともに、デジタルインターフェースで接続した外部機器で受信した第２のチャンネルのテレビジョン放送信号を入力するので、比較的安価な構成によって第１のチャンネルの映像と第２のチャンネルの映像を表示部６に同時に表示させることができる。
【００３６】
上記のように、２つチャンネルの映像を表示部６に同時に表示させることができるため、ユーザが表示部６に表示したＧＵＩを操作して選局を行う際に、第１のチャンネルの番組を視聴しながら第２のチャンネルの番組内容を容易に把握でき、所望のチャンネルを効率的に選択することができる。
【００３７】
また、ＧＵＩの終了時に外部機器の電源状態を待機状態にすることにより、消費電力を抑えることができる。
【００３８】
実施の形態２．
実施の形態１では外部機器から入力した映像データをデジタル放送受信装置の表示部６で表示するが、さらに音声データを外部機器から入力してデジタル放送受信装置のスピーカ部９で出力してもよい。
【００３９】
図６は、この発明の実施の形態２によるデジタル放送受信装置のブロック図であり、図１と比較して音声出力制御部１３を備えている点が異なる。音声出力制御部１３は、制御部８から送信される音声出力切替指示に基づき、デジタル放送受信装置で受信して復調ならびに復号した第１のチャンネルの音声データ、あるいは、外部機器で受信して復調ならびに復号し、デジタルインターフェース１０を介して入力される第２のチャンネルの音声データをスピーカ部９に出力する。
【００４０】
以下、図７を参照してユーザがＧＵＩを用いてチャンネル選択する時の動作説明を行う。図７のＳＴＥＰ１００〜ＳＴＥＰ１０５は、前記の図３のＳＴＥＰ１〜ＳＴＥＰ６と同じ動作である。
【００４１】
図７のＳＴＥＰ１０６において、制御部８は、映像出力制御部７に合成指示を送信した後、第１チャンネルと第２チャンネルのいずれの音声をスピーカ部９に出力するかの選択を指示するための音声出力切替指示を音声出力制御部１３に送信する。いずれの音声を出力するかの選択は、例えば、第２のチャンネルの映像を表示部６に表示する場合には第２のチャンネルの音声を出力するように自動的に決定されるものであってもよく、ＧＵＩなどの選択手段でユーザが決定してもよい。
【００４２】
音声出力切替指示を受信した音声出力制御部１３は、音声出力切替指示に基づいてデジタル放送受信装置内部で復号した第１のチャンネルの音声データ、あるいは、カーソル４０で選択され、外部機器から入力される第２のチャンネルの音声データをスピーカ部９に出力する。
【００４３】
以後のＳＴＥＰ１０７〜ＳＴＥＰ１１１は、前記の図３のＳＴＥＰ７〜ＳＴＥＰ１１と同じ動作である。
【００４４】
実施の形態２のデジタル放送受信装置は、実施の形態１のデジタル放送受信装置に音声出力制御部をさらに備えており、この音声出力制御部が第１のチャンネルの音声データ、あるいは、第２のチャンネルの音声データをスピーカ部９に出力する。そのため、第２のチャンネルの番組の内容を映像と音声の両方で把握することもできる。
【００４５】
実施の形態３．
図８は、実施の形態３によるＧＵＩである。図４のＧＵＩと比較して、第２のチャンネルの映像を表示する際にその音声をスピーカ部９に出力するか否かを選択するためのチェックボックス等の選択手段をさらに設けた点が異なる。ユーザ操作によって選択内容が更新されると、制御部８が選択内容に基づいた音声出力切替指示を音声出力制御部１３に送信する。
【００４６】
音声出力切替指示を受信した音声出力制御部１３は、音声出力切替指示に従って出力する音声データを切替える。すなわち、図８において、第２チャンネルの映像データのみを出力することを意味する「映像表示」が選択された場合は、音声出力制御部１３は、音声デコーダ５から入力される第１チャンネルの音声データをスピーカ部９に出力し、第２チャンネルの映像および音声データを出力することを意味する「映像出力＋音声出力」が選択された場合は、レコーダから入力される音声データをスピーカ部９に出力する。
【００４７】
実施の形態３は以上のように構成されているので、ユーザがＧＵＩを操作する際に、例えば、第１のチャンネルの音声と第２のチャンネルの音声に対するユーザの関心度に応じて、聞きたい音声を選択することができる。
【図面の簡単な説明】
【００４８】
【図１】この発明の実施の形態１を示すデジタル放送受信装置のブロック図の例である。
【図２】この発明の実施の形態１を示すデジタル放送受信機能を有する外部機器のブロック図の例である。
【図３】この発明の実施の形態１におけるチャンネル選択操作を説明するフロー図である。
【図４】（Ａ）は、ＧＵＩの映像を示す図である。（Ｂ）は、ＧＵＩの映像と現在視聴中のチャンネルの映像とを合成した映像を示す図である。（Ｃ）は、ＧＵＩの映像と現在視聴中のチャンネルの映像とカーソルで選択しているチャンネルの映像とを合成した映像を示す図である。
【図５】表示部の一部分にＧＵＩの映像データとカーソルで選択しているチャンネルの映像データとを合成した映像を表示し、表示部の他の部分に現在視聴中のチャンネルの映像を表示した例を示す図である。
【図６】この発明の実施の形態２を示すデジタル放送受信装置のブロック図である。
【図７】この発明の実施の形態２におけるチャンネル選択操作を説明するフロー図である。
【図８】この発明の実施の形態３におけるＧＵＩを示す図である。
【符号の説明】
【００４９】
１  アンテナ部
２  チューナ部
３  映像デコーダ部
４  デマルチプレクサ部
５  音声デコーダ部
６  表示部
７  映像出力制御部
８  制御部
９  スピーカ部
１０  デジタルインターフェース
１１  キー操作受信部
１２  リモコン
２０  アンテナ部
２１  チューナ部
２２  デマルチプレクサ部
２３  映像デコーダ部
２４  制御部
２５  音声デコーダ部
２６  デジタルインターフェース
２７  ハードディスク（ＨＤＤ）
２８  ＤＶＤ
４０  カーソル
４１  現在視聴中のチャンネルの映像データを表示するエリア
４２  カーソル４０で選択しているチャンネルの映像データを表示するエリア
【図１】
2008270962.tif 000003
【図２】
2008270962.tif 000004
【図３】
2008270962.tif 000005
【図４】
2008270962.tif 000006
【図５】
2008270962.tif 000007
【図６】
2008270962.tif 000008
【図７】
2008270962.tif 000009
【図８】
2008270962.tif 000010